(57)【要約】      （修正有）【課題】パラメータ検証の作業を一般ユーザに影響を与えることなく、高品質で効率的に実施できるパラメータ検証システム、パラメータ検証装置、パラメータ検証方法およびプログラムを提供する。【解決手段】移動機と基地局を利用したパラメータ検証方法であって、移動機データ収集ツールにより無線系パラメータを任意に変更し、その無線系パラメータにより無線通信を行う。待ち時間をネットワークを介して接続されているユーザ端末もしくは掲示板に配信する。【選択図】  図１
2006345153.tif 000002
【特許請求の範囲】
【請求項１】
移動機と基地局含むパラメータ検証システムであって、
前記移動機で無線系パラメータを任意に変更することを特徴とするパラメータ検証システム。
【請求項２】
前記移動機の無線系パラメータの変更を移動機データ収集ツールによって行なうことを特徴とする請求項１記載のパラメータ検証システム。
【請求項３】
無線系パラメータを任意に変更することを特徴とするパラメータ検証装置。
【請求項４】
移動機データ収集ツールによって無線系パラメータの変更が行なわれることを特徴とする請求項３記載のパラメータ検証装置。
【請求項５】
移動機と基地局を利用したパラメータ検証方法であって、
前記移動機が無線系パラメータを任意に変更し、該無線系パラメータにより無線通信を行なうことを特徴とするパラメータ検証方法。
【請求項６】
前記移動機の無線系パラメータの変更を移動機データ収集ツールによって行なうことを特徴とする請求項５記載のパラメータ検証方法。
【請求項７】
移動機に無線系パラメータを任意に変更し、該無線系パラメータにより無線通信を行なう処理を実行させることを特徴とするプログラム。
【請求項８】
移動機データ収集ツールに前記移動機の無線系パラメータの変更処理を実行させることを特徴とする請求項７記載のプログラム。
【発明の詳細な説明】
【技術分野】
【０００１】
本発明は、無線系パラメータ検証作業等（無線系パラメータの適正値を検証する作業）が一般ユーザに影響を与えることなく実施できるパラメータ検証システム、パラメータ検証装置、パラメータ検証方法およびプログラムに関する。
【背景技術】
【０００２】
従来、無線系パラメータの検証は車両に移動機を搭載させフィールド走行試験を実施することにより行なわれていた。
【０００３】
図５は、無線系パラメータ検証作業のイメージ図である。図５を参照すると、移動機５１は、既存の移動機データ収集ツール５２と接続し、ＲＦ（Radio Frequency）情報（無線基地局Ａ・Ｂから送信されている物理ＣＨのＬｅｖｅｌ情報）や、プロトコル情報（ＲＲＣ（Radio Resource Control）、ＣＣ（Call Control）等のＬ３メッセージ）を収集する。この移動機データ収集ツール５２で収集したＲＦ情報やプロトコル情報を解析して、最適な無線系パラメータを検討する作業が無線系パラメータ検証作業である。
【０００４】
図６は、従来の無線系パラメータの変更処理のイメージ図である。従来は、ＲＮＣ（Radio Network Controller）で無線系パラメータを変更していたために、ＲＮＣ配下にいるすべての移動機（一般ユーザを含む）の無線系パラメータが変更されていた。したがって、不適切な無線系パラメータを設定してしまった場合には、ＲＮＣ配下にいるすべての移動機の通信に影響を与えてしまうこととなる。
【０００５】
ここで、近距離無線通信装置等により携帯端末装置が所定の場所に入ったことが検知されたとき、携帯端末装置は、送信電力を予め定めた許容送信電力以下に制限し、これによって所定の通信品質が得られない場合、当該所定の通信品質が得られるように、伝送レート、誤り訂正符号の種類、符号化レート等の基地局との通信で用いる通信パラメータを変更することで、携帯端末の送信電力をあるレベル以下に制限して電磁波の影響をなくすとともに、携帯端末の使用を可能とすることができる技術が提案されている（例えば、特許文献１参照）。
【特許文献１】特開２００３−１６３６３１号公報
【発明の開示】
【発明が解決しようとする課題】
【０００６】
しかしながら、上述した従来例においては次のような問題点があった。
【０００７】
従来の無線系パラメータ検証作業はネットワーク側（ＲＮＣ）でパラメータ変更を実施していたため、ネットワーク側（ＲＮＣ）の無線系パラメータ変更をするためには、システム停止が必要であった。
【０００８】
また、ネットワーク側（ＲＮＣ）で不適切な無線系パラメータを設定した場合、ＲＮＣ配下にいるすべての移動機の呼処理が不安定になる。例えば、異常切断や発信失敗が増加する等である。
【０００９】
さらに、パターン毎にネットワーク側（ＲＮＣ）でパラメータを変更するため、複数のパターンを一度に検証することができなく、作業効率が低下する。
【００１０】
そして、パターン毎にネットワーク側（ＲＮＣ）でパラメータを変更するため、同じ環境でパラメータ比較ができなく、検証結果の品質が低くなる。
【００１１】
そこで、本発明は、パラメータ検証の作業を一般ユーザに影響を与えることなく、高品質で効率的に実施できるパラメータ検証システム、パラメータ検証装置、パラメータ検証方法およびプログラムを提供することを目的とする。
【課題を解決するための手段】
【００１２】
請求項１記載の発明は、移動機と基地局含むパラメータ検証システムであって、移動機で無線系パラメータを任意に変更することを特徴とするパラメータ検証システムである。
【００１３】
請求項２記載の発明は、請求項１記載のパラメータ検証システムにおいて、移動機の無線系パラメータの変更を移動機データ収集ツールによって行なうことを特徴とする。
【００１４】
請求項３記載の発明は、無線系パラメータを任意に変更することを特徴とするパラメータ検証装置である。
【００１５】
請求項４記載の発明は、請求項３記載のパラメータ検証装置において、移動機データ収集ツールによって無線系パラメータの変更が行なわれることを特徴とする。
【００１６】
請求項５記載の発明は、移動機と基地局を利用したパラメータ検証方法であって、移動機が無線系パラメータを任意に変更し、該無線系パラメータにより無線通信を行なうことを特徴とするパラメータ検証方法である。
【００１７】
請求項６記載の発明は、請求項５記載のパラメータ検証方法において、移動機の無線系パラメータの変更を移動機データ収集ツールによって行なうことを特徴とする。
【００１８】
請求項７記載の発明は、移動機に無線系パラメータを任意に変更し、該無線系パラメータにより無線通信を行なう処理を実行させることを特徴とするプログラムである。
【００１９】
請求項８記載の発明は、請求項７記載のプログラムにおいて、移動機データ収集ツールに移動機の無線系パラメータの変更処理を実行させることを特徴とする。
【発明の効果】
【００２０】
本発明のパラメータ検証システム、パラメータ検証装置、パラメータ検証方法およびプログラムによれば、パラメータ検証の作業を一般ユーザに影響を与えることなく、高品質で効率的に実施できる。
【発明を実施するための最良の形態】
【００２１】
次に、本発明の一実施の形態について図を参照して詳細に説明する。
【００２２】
図１は、上記の従来の無線系パラメータの変更処理のイメージ図と対比される、本実施の形態におけるパラメータ検証システムにおける無線系パラメータの変更処理のイメージ図である。
【００２３】
従来は、ＲＮＣで無線系パラメータを変更していたために、ＲＮＣ配下にいるすべての移動機（一般ユーザを含む）の無線系パラメータが変更されていたが、本実施の形態では、パラメータ変更は、試験対象移動機のみのため、一般ユーザへの影響はない。
【００２４】
また、ＲＮＣで無線系パラメータを変更する場合はシステム停止が発生するが、本実施の形態では、移動機の無線系パラメータを変更するので、システム停止は必要なくなる。
【００２５】
次に、図２を参照すると、本実施の形態におけるパラメータ検証システムは、移動機２１ａと、移動機２１ｂと、移動機データ収集ツール２２と、試験車両２３と、ＲＮＣ２４と、無線基地局Ａと、無線基地局Ｂと、から構成されている。
【００２６】
ここで、移動機２１ａ・２１ｂは、ユーザにより携帯される通信機能を備えた携帯電話機、ＰＤＡなどの情報処理装置であって、無線通信部、表示部、操作部、音声処理部（マイク、スピーカ）、スピーカ、メモリ、制御部など既知の構成を備えている。
【００２７】
移動機データ収集ツール２２は、移動機２１ａ・２１ｂのデータを収集する情報処理装置であり、例えば、ノート型パソコン等である。
【００２８】
図３は、移動機の無線系パラメータを変更するイメージ図である。図３を参照すると、移動機２１に接続した移動機データ収集ツール２２であるノート型パソコンで、その画面に表示される、例えば、現状値と変更値等の数字を入力、変更し、変更実行ボタンをクリックすることで、簡単に無線系パラメータを変更できることが理解される。
【００２９】
図４は、本実施の形態における変更され得る無線系パラメータのサンプルを示す図である。Ｃｅｌｌ  Ｉｕｂ情報、Ａｄｊａｃｅｎｔ  Ｃｅｌｌ情報、Ｃｅｌｌ  Ｈｉｅｒａｒｃｈｉｃａｌ  Ｃｅｌｌ  ｓｔｒｕｃｔｕｒｅ情報、Ｕｐｌｉｎｋ  Ｃｏｍｍｏｎ  Ｃｈａｎｎｅｌ  Ｍｉｓｃｅｌｌａｎｅｏｕｓ情報等がある。
【００３０】
試験車両２３は、移動機データ収集ツール２２に接続された移動機２１ａ・２１ｂを搭載してエリアを走行する車両である。なお、持ち歩きが可能の際は、車両による移動でなく、歩行等によってもよい。
【００３１】
無線基地局Ａと、無線基地局Ｂは、隣接するエリアをカバーする基地局である。
【００３２】
次に、図２を参照して、本実施の形態におけるパラメータを検証する処理動作のフローについて説明する。ハンドオーバー（ＨＯ）に関するパラメータを検証することを前提とする。
【００３３】
まず、試験車両２３は、移動機データ収集ツール２２に接続された移動機２１ａ・２１ｂを搭載して、図中左側の無線基地局Ａがカバーするエリアを走行する。
【００３４】
最初のうちは、無線基地局Ａのみであり、グラフ中のＡ局１ｗａｙの状態である。
【００３５】
そして、図中、中央付近の無線基地局Ａと無線基地局Ｂの双方がカバーするエリアを走行し始めると、グラフ中のＡＢ局２ｗａｙの状態となる。
【００３６】
さらに、図中右側の無線基地局Ｂのみがカバーするエリアを走行し始めると、グラフ中のＢ局１ｗａｙの状態となる。
【００３７】
ここで、グラフの縦軸は、ＣＰＩＣＨ（Ｃｏｍｍｏｎ  Ｐｉｌｏｔ  Ｃｈａｎｎｅｌ）＿Ｅｃ／ＮＯ値で、横軸は移動距離を示す。また、グラフ中の略左上から右下がりの線が無線基地局Ａの電波のレベルであり、一方、グラフ中の略左下から右上がりの線が無線基地局Ｂの電波のレベルである。
【００３８】
Ｅｖｅｎｔ１ａ閾値として、Ｃｅｌｌの追加閾値を設定する。また、Ｅｖｅｎｔ１ｂ閾値として、劣化Ｃｅｌｌの削除閾値を設定する。Ｃｅｌｌの追加とは、図中左側の無線基地局Ａのみから、図中、中央付近の、無線基地局Ｂが追加され、無線基地局Ａと無線基地局Ｂの双方がカバーする状態をいう。また、劣化Ｃｅｌｌの削除とは、図中、中央付近の、無線基地局Ｂが追加され、無線基地局Ａと無線基地局Ｂの双方がカバーする状態から、図中右側の無線基地局Ｂのみがカバーする状態へ変遷することをいう。
【００３９】
グラフの矢印で示される、Ｅｖｅｎｔ１ａ閾値およびＥｖｅｎｔ１ｂ閾値を変化させると、ＡＢ局２ｗａｙの状態にある距離ないしは範囲が拡大したり、縮小したりする。２つのグラフのうち、上のグラフは、Ｅｖｅｎｔ１ａ閾値およびＥｖｅｎｔ１ｂ閾値が相対的に小さく設定されたとき（移動機２１ａ）の変化を示すものであり、下のグラフは、Ｅｖｅｎｔ１ａ閾値およびＥｖｅｎｔ１ｂ閾値が相対的に大きく設定されたとき（移動機２１ｂ）の変化を示すものである。これらから、Ｅｖｅｎｔ１ａ閾値およびＥｖｅｎｔ１ｂ閾値が大きくなるほど、ＡＢ局２ｗａｙの状態にある距離ないしは範囲が拡大することが言える。
【００４０】
ＡＢ局２ｗａｙの状態にある方が、どちらか一方のみの場合と比較して、電波環境の変化に強い。すなわち、どちらか一方がなんらかの事情により、使用不可能となったときでも他の無線基地局により対応できるからである。
【００４１】
しかし、ＡＢ局２ｗａｙの状態にあるときは、無線回線を２本使用していることとなるため、どちらか一方のみの場合と比較して、リソースを余計に消費していることとなり、その点が無駄となる虞がある。
【００４２】
したがって、電波環境の変化に強く、かつ、限られたリソースを適正に用いることとなるべく、パラメータを最適に設定しなければならない。
【００４３】
そこで、本実施の形態では、移動機２１に接続した移動機データ収集ツール２２であるノート型パソコンで、その画面に表示される、変更値の数字を入力し、変更実行ボタンをクリックすることで、試験的な第１の無線系パラメータを設定し、上記のルートを走行してデータを収集する。
【００４４】
そして、移動機２１に接続した移動機データ収集ツール２２であるノート型パソコンで、その画面に表示される、現状値を参照して、変更値の数字を入力し、変更実行ボタンをクリックすることで、試験的な第２の無線系パラメータを設定し、データ収集を繰り返す。
【００４５】
最後に、それらの収集されたデータを比較検討して最適なパラメータを決定する。
【００４６】
上記の実施の形態によれば、従来は無線系パラメータのパターン毎にＲＮＣの設定を変更する必要があったが、検証用移動機側でパラメータ変更できるため、検証したいパターン分の検証用移動機を準備する事で、一度に数パターン分の検証作業が同時に実施できる。したがって、検証作業の「作業効率向上」と「品質向上（精度向上）」を図ることができる。
【００４７】
なお、上述する各実施の形態は、本発明の好適な実施の形態であり、本発明の要旨を逸脱しない範囲内において種々変更実施が可能である。例えば、上記の実施の形態における移動機２１ａ、移動機２１ｂおよび移動機データ収集ツール２２の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００４８】
上述する各実施の形態は、移動機２１ａ、移動機２１ｂおよび移動機データ収集ツール２２が別個に接続されているシステム構成について説明したが、各機能が１つのコンピュータシステムとして実現されている構成や機能毎に複数の情報処理装置等が追加された構成にも適用可能であることはもちろんである。
【図面の簡単な説明】
【００４９】
【図１】本発明の実施形態におけるパラメータ検証システムにおける無線系パラメータの変更処理のイメージ図である。
【図２】本発明の実施形態におけるパラメータ検証システムの概略構成図である。
【図３】移動機の無線系パラメータを変更するイメージ図である。
【図４】無線系パラメータのサンプルを示す図である。
【図５】従来の無線系パラメータ検証作業のイメージ図である。
【図６】従来の無線系パラメータの変更処理のイメージ図である。
【符号の説明】
【００５０】
２１ａ、２１ｂ    移動機
２２    移動機データ収集ツール
２３    試験車両
２４    ＲＮＣ
【図１】
2006345153.tif 000003
【図２】
2006345153.tif 000004
【図３】
2006345153.tif 000005
【図４】
2006345153.tif 000006
【図５】
2006345153.tif 000007
【図６】
2006345153.tif 000008